(57)【特許請求の範囲】
【請求項１】
ｎ本（ｎは６以上の整数）のアイアンゴルフクラブを含んでおり、
これらのクラブのそれぞれが、ヘッドと、このヘッドに設けられた複数のフェース溝とを有しており、
これらのクラブのトウ側ソール幅ｄ１が、リアルロフト角Ｌ１の小さいクラブから順にｄ１（１）、ｄ１（２）、・・・、ｄ１（ｎ）とされ、これらのトウ側ソール幅ｄ１の最大値がｄ１ｍａｘとされ、且つ、これらのトウ側ソール幅ｄ１の最小値がｄ１ｍｉｎとされ、
これらのクラブのヒール側ソール幅ｄ２が、リアルロフト角Ｌ１の小さいクラブから順にｄ２（１）、ｄ２（２）、・・・、ｄ２（ｎ）とされ、これらのヒール側ソール幅ｄ２の最大値がｄ２ｍａｘとされ、且つ、これらのヒール側ソール幅ｄ２の最小値がｄ２ｍｉｎとされ、
これらのクラブのバンス角θ１が、リアルロフト角Ｌ１の小さいクラブから順にθ１（１）、θ１（２）、・・・、θ１（ｎ）とされ、これらのバンス角θ１の最大値がθ１ｍａｘとされ、且つ、これらのバンス角θ１の最小値がθ１ｍｉｎとされるとき、
θ１（１）≦θ１（２）≦・・・≦θ１（ｎ）を満たしており、
上記ｄ１ｍａｘと上記ｄ１ｍｉｎとが、略同一であり、
上記ｄ２ｍａｘと上記ｄ２ｍｉｎとが、略同一であり、
差（ｄ１ｍａｘ−ｄ１ｍｉｎ）が１．０ｍｍ以下であり、
差（ｄ２ｍａｘ−ｄ２ｍｉｎ）が１．０ｍｍ以下であり、
ｄ１（１）≧ｄ１（２）≧・・・≧ｄ１（ｎ）を満たしており、
ｄ２（１）≧ｄ２（２）≧・・・≧ｄ２（ｎ）を満たしているアイアンゴルフクラブセット。
ただし、上記トウ側ソール幅ｄ１のトウ−ヒール方向における測定位置は最長の上記フェース溝のトウ側の端であり、上記ヒール側ソール幅ｄ２のトウ−ヒール方向における測定位置は最長の上記フェース溝のヒール側の端である。
【請求項２】
差（ｄ１ｍａｘ−ｄ１ｍｉｎ）が０．８ｍｍ以下であり、
差（ｄ２ｍａｘ−ｄ２ｍｉｎ）が０．８ｍｍ以下である請求項１に記載のアイアンゴルフクラブセット。
【発明の詳細な説明】
【技術分野】
【０００１】
本発明は、複数本のアイアン型ゴルフクラブを有するアイアンゴルフクラブセットに関する。
【背景技術】
【０００２】
複数本のアイアン型ゴルフクラブを有するアイアンゴルフクラブセットが市販されている。通常、このクラブセットは、リアルロフト角、ライ角及び長さの異なる複数のクラブを含む。セットを構成するクラブのそれぞれは、番手（Iron Number)によって区別される。様々な観点に基づいて、各番手毎に、ヘッドの仕様が決められる。
【０００３】
実公平７−４９９７０号公報は、５番アイアン若しくは６番アイアンを境として、ロングアイアンクラブ側を、番手が小さくなるに従いソール幅を順次大きく形成すると共に、ショートアイアン側のソール幅を番手が大きくなるに従ってソール幅を順次大きくなるように形成したアイアンゴルフクラブセットを開示する。
【先行技術文献】
【特許文献】
【０００４】
【特許文献１】実公平７−４９９７０号公報
【発明の概要】
【発明が解決しようとする課題】
【０００５】
本発明者は、従来技術とは異なる観点から、アイアンセットにおけるソール幅の最適化について検討した。その結果、従来技術とは異質な効果を奏しうるソール幅の仕様を発明するに至った。
【０００６】
本発明の目的は、各番手に求められる機能を適切に発揮しうるゴルフクラブセットの提供にある。
【課題を解決するための手段】
【０００７】
本発明に係るクラブセットは、ｎ本（ｎは２以上の整数）のアイアンゴルフクラブを含んでいる。これらのクラブのトウ側ソール幅ｄ１が、リアルロフト角Ｌ１の小さいクラブから順にｄ１（１）、ｄ１（２）、・・・、ｄ１（ｎ）とされ、これらのトウ側ソール幅ｄ１の最大値がｄ１ｍａｘとされ、且つ、これらのトウ側ソール幅ｄ１の最小値がｄ１ｍｉｎとされ、これらのクラブのヒール側ソール幅ｄ２が、リアルロフト角Ｌ１の小さいクラブから順にｄ２（１）、ｄ２（２）、・・・、ｄ２（ｎ）とされ、これらのヒール側ソール幅ｄ２の最大値がｄ２ｍａｘとされ、且つ、これらのヒール側ソール幅ｄ２の最小値がｄ２ｍｉｎとされ、 これらのクラブのバンス角θ１が、リアルロフト角Ｌ１の小さいクラブから順にθ１（１）、θ１（２）、・・・、θ１（ｎ）とされ、これらのバンス角θ１の最大値がθ１ｍａｘとされ、且つ、これらのバンス角θ１の最小値がθ１ｍｉｎとされる。このとき、このクラブセットは、θ１（１）≦θ１（２）≦・・・≦θ１（ｎ）を満たしており、上記ｄ１ｍａｘと上記ｄ１ｍｉｎとが、略同一であり、上記ｄ２ｍａｘと上記ｄ２ｍｉｎとが、略同一である。
【０００８】
好ましくは、差（ｄ１ｍａｘ−ｄ１ｍｉｎ）が１．０ｍｍ以下である。好ましくは、差（ｄ２ｍａｘ−ｄ２ｍｉｎ）が１．０ｍｍ以下である。
【０００９】
好ましい態様において、このクラブセットは、ｄ１（１）≦ｄ１（２）≦・・・≦ｄ１（ｎ）を満たしており、且つ、ｄ２（１）≦ｄ２（２）≦・・・≦ｄ２（ｎ）を満たしている。
【００１０】
他の好ましい態様において、このクラブセットは、ｄ１（１）≧ｄ１（２）≧・・・≧ｄ１（ｎ）を満たしており、且つ、ｄ２（１）≧ｄ２（２）≧・・・≧ｄ２（ｎ）を満たしている。
【００１１】
好ましくは、差（ｄ１ｍａｘ−ｄ１ｍｉｎ）は０．８ｍｍ以下である。好ましくは、差（ｄ２ｍａｘ−ｄ２ｍｉｎ）が０．８ｍｍ以下である。
【発明の効果】
【００１２】
このアイアンゴルフクラブセットは、各番手毎に求められる機能を適切に発揮しうる。
【図面の簡単な説明】
【００１３】
【図１】図１は、本発明の一実施形態に係るゴルフクラブセットを示す図である。
【図２】図２は、図１のセットで用いられているヘッドの斜視図である。
【図３】図３は、図２のヘッドの正面図及び底面図である。
【図４】図４は、図３のＦ４−Ｆ４線に沿った断面図である。
【図５】図５は、図３のＦ５−Ｆ５線に沿った断面図である。
【図６】図６は、図３のＦ６−Ｆ６線に沿った断面図である。
【発明を実施するための形態】
【００１４】
以下、適宜図面が参照されつつ、好ましい実施形態に基づいて本発明が詳細に説明される。
【００１５】
図１は、本発明の一実施形態に係るゴルフクラブセット２を示す図である。ゴルフクラブセット２は、アイアンゴルフクラブセットである。アイアン型ゴルフクラブのリアルロフト角Ｌ１は、通常、１５度以上７０度以下の範囲にある。
【００１６】
クラブセット２は、リアルロフト角Ｌ１の相違する複数本のアイアン型ゴルフクラブ４を含む。ゴルフクラブセット２は、８本のゴルフクラブ４を有する。ゴルフクラブセット２のクラブ本数は、２本以上である。本発明の効果を顕在化させる観点から、クラブ本数ｎは、３以上が好ましく、５以上が更に好ましく、６以上が特に好ましい。ゴルフルールでは、プレー中に使用可能はクラブ本数が制限されている。この観点から、クラブ本数ｎは、１２以下が好ましく、１１以下がより好ましく、１０以下が更に好ましい。
【００１７】
ゴルフクラブ４のそれぞれは、シャフトｓｆ、ヘッドｈｄ及びグリップｇｐを有する。シャフトｓｆの先端部に、ヘッドｈｄが取り付けられている。シャフトｓｆの後端部に、グリップｇｐが取り付けられている。
【００１８】
８本のゴルフクラブ４は、リアルロフト角Ｌ１の小さい順に、第一のゴルフクラブｃ１、第二のゴルフクラブｃ２、第三のゴルフクラブｃ３、第四のゴルフクラブｃ４、第五のゴルフクラブｃ５、第六のゴルフクラブｃ６、第七のゴルフクラブｃ７及び第八のゴルフクラブｃ８である。低い番手ほど、ヘッドｈｄのリアルロフト角Ｌ１が小さい。
【００１９】
第一のゴルフクラブｃ１は、シャフトｓｆ１、ヘッドｈｄ１及びグリップｇｐを有する。第二のゴルフクラブｃ２は、シャフトｓｆ２、ヘッドｈｄ２及びグリップｇｐを有する。第三のゴルフクラブｃ３は、シャフトｓｆ３、ヘッドｈｄ３及びグリップｇｐを有する。第四のゴルフクラブｃ４は、シャフトｓｆ４、ヘッドｈｄ４及びグリップｇｐを有する。第五のゴルフクラブｃ５は、シャフトｓｆ５、ヘッドｈｄ５及びグリップｇｐを有する。第六のゴルフクラブｃ６は、シャフトｓｆ６、ヘッドｈｄ６及びグリップｇｐを有する。第七のゴルフクラブｃ７は、シャフトｓｆ７、ヘッドｈｄ７及びグリップｇｐを有する。第八のゴルフクラブｃ８は、シャフトｓｆ８、ヘッドｈｄ８及びグリップｇｐを有する。
【００２０】
ゴルフクラブセット２を構成するゴルフクラブ４において、クラブ長さが相違する。クラブ長さの長い順に、第一のゴルフクラブｃ１、第二のゴルフクラブｃ２、第三のゴルフクラブｃ３、第四のゴルフクラブｃ４、第五のゴルフクラブｃ５、第六のゴルフクラブｃ６、第七のゴルフクラブｃ７及び第八のゴルフクラブｃ８である。低い番手ほどクラブ長さが大きい。クラブ長さは、主としてシャフトｓｆの長さによって調整されている。長さが同じゴルフクラブ４が含まれていてもよい。
【００２１】
図示されないが、ゴルフクラブセット２を構成するゴルフクラブ４において、ライ角が相違する。ライ角の小さい順に、第一のゴルフクラブｃ１、第二のゴルフクラブｃ２、第三のゴルフクラブｃ３、第四のゴルフクラブｃ４、第五のゴルフクラブｃ５、第六のゴルフクラブｃ６、第七のゴルフクラブｃ７及び第八のゴルフクラブｃ８である。低い番手ほどライ角が小さい。ライ角が同じゴルフクラブ４が含まれていてもよい。
【００２２】
図１の実施形態では、第一のゴルフクラブｃ１は４番アイアンであり、第二のゴルフクラブｃ２は５番アイアンであり、第三のゴルフクラブｃ３は６番アイアンであり、第四のゴルフクラブｃ４は７番アイアンであり、第五のゴルフクラブｃ５は８番アイアンであり、第六のゴルフクラブｃ６は９番アイアンであり、第七のゴルフクラブｃ７はピッチングウエッジ（ＰＷ）であり、第八のゴルフクラブｃ８はアプローチウエッジ（ＡＷ）である。本発明では、ゴルフクラブセット２に含まれるゴルフクラブ４の番手は限定されない。
【００２３】
図２は、ゴルフクラブｃ２（５番アイアン）のヘッドｈｄ２の斜視図である。図３は、ヘッドｈｄ２の正面図及び底面図である。図３では、正面図が上側に描かれ、底面図が下側に描かれている。以下、ヘッドｈｄ２を例として説明するが、これらの構造は、他の番手のヘッドｈｄについても同じである。
【００２４】
ヘッドｈｄ２は、フェース５と、ホーゼル６と、ソール７とを有する。ゴルフクラブヘッドｈｄは、シャフトを装着するためのシャフト穴１０を有している。このシャフト穴１０は、ホーゼル６に設けられている。
【００２５】
ヘッドｈｄ２及びフェース５の材質は限定されない。フェース５は、金属であってもよいし、非金属であってもよい。この金属の例として、鉄、ステンレス鋼、マルエージング鋼、純チタン及びチタン合金が挙げられる。鉄の例として、軟鉄（炭素含有率が０．３ｗｔ％未満の低炭素鋼）が挙げられる。非金属の例として、ＣＦＲＰ（炭素繊維強化プラスチック）挙げられる。
【００２６】
ヘッドｈｄ２は、複数のフェース溝ｇｖを有する。フェース溝ｇｖは、単に溝とも称される。フェース溝ｇｖの形成方法は、限定されない。フェース溝ｇｖの形成方法として、鍛造、プレス加工、鋳造及び切削加工（彫刻）が例示される。
【００２７】
フェース５の一部には、表面粗さを調整する処理が施されている。この処理の典型例は、ショットブラスト処理である。図２及び図３には、ショットブラスト処理がなされているエリアと、ショットブラスト処理がなされていないエリアとの境界線ｋ１が示されている。この境界線ｋ１は、トウ側の境界線ｋ１ｔ及びヒール側の境界線ｋ１ｈである。トウ側の境界線ｋ１ｔと、ヒール側の境界線ｋ１ｈとの間のエリアに、ショットブラスト処理が施されている。ショットブラスト処理がなされたエリアに、全てのフェース溝ｇｖが設けられている。トウ側の境界線ｋ１ｔよりもトウ側のエリアには、ショットブラスト処理が施されていない。ヒール側の境界線ｋ１ｈよりもヒール側のエリアには、ショットブラスト処理が施されていない。このショットブラスト処理の有無によって、トウ側の境界線ｋ１ｔ及びヒール側の境界線ｋ１ｈが視認される。このショットブラスト処理により、表面粗さが大きくされている。この大きな表面粗さにより、ボールのバックスピン速度が増加しうる。バックスピン速度の増加により、落下点の近くでボールが停止しやすい。バックスピン速度の増加により、狙った地点にボールを止めることが容易となりうる。特にこのバックスピン速度の増加は、グリーンを狙うショット及びアプローチショットにおいて有益である。図２及び図３が示すように、境界線ｋ１ｔと境界線ｋ１ｈとは、実質的に平行である。
【００２８】
フェース５は、ランドエリアＬＡを有する。ランドエリアＬＡとは、フェース５の表面（フェース面）のうち、溝が形成されていない部分を指す。このランドエリアＬＡは、ショットブラスト処理等による細かい凹凸を無視すれば、実質的に平面である。
【００２９】
図４は、図３のＦ４−Ｆ４線に沿った断面図である。このＦ４−Ｆ４線のトウ−ヒール方向位置は、トウ側ソール幅ｄ１の測定位置とヒール側ソール幅ｄ２の測定位置との間を２等分する（図３参照）。ヘッドｈｄ２のバック側には、凹部１２が設けられている。このヘッドｈｄ２は、いわゆるキャビティバックタイプである。
【００３０】
図４が示すように、ヘッドｈｄ２は、ヘッド本体１４と、フェースプレート１６とを有する。ヘッド本体１４は、フェースプレート１６の形状に対応した開口（図示されない）を有する。この開口に、フェースプレート１６が嵌め込まれている。図３には、フェースプレート１６の輪郭線１８が描かれている。
【００３１】
［各クラブのリアルロフト角Ｌ１］
ゴルフクラブセット２を構成するゴルフクラブ４のリアルロフト角Ｌ１が、リアルロフト角Ｌ１の小さいクラブから順にＬ１（１）、Ｌ１（２）、・・・、Ｌ１（ｎ）とされる。このセット２では、番手が大きいほど、リアルロフト角Ｌ１が大きい。即ち、このセット２は、Ｌ１（１）＜Ｌ１（２）＜・・・＜Ｌ１（ｎ）を満たしている。
【００３２】
ゴルフクラブセット２は、リアルロフト角Ｌ１が４０°以下であるゴルフクラブ４と、リアルロフト角Ｌ１が４０°を超えるゴルフクラブ４とを含む。ゴルフクラブセット２において、リアルロフト角Ｌ１が４０°以下であるゴルフクラブ４は、９番アイアン及び９番アイアンよりもリアルロフト角Ｌ１が小さいクラブ（４番アイアンから８番アイアンまで）である。リアルロフト角Ｌ１が４０°よりも小さい他のクラブとして、３番アイアン、２番アイアン及び１番アイアンが例示される。ゴルフクラブセット２において、リアルロフト角Ｌ１が４０°を超えるゴルフクラブ４は、ピッチングウエッジ及びアプローチウエッジ）である。リアルロフト角Ｌ１が４０°を超える他のクラブとして、サンドウエッジ及びロブウエッジが例示される。
【００３３】
クラブセット２は、リアルロフト角Ｌ１が５０°以上であるゴルフクラブを含む。 リアルロフト角Ｌ１が５０°以上のゴルフクラブ４は、アプローチウエッジである。リアルロフト角Ｌ１が５０°以上の他のクラブとして、サンドウエッジ及びロブウエッジが例示される。
【００３４】
なお、隣接する番手間のリアルロフト角Ｌ１の差、即ち、［Ｌ１（ｍ）−Ｌ１（ｍ−１）］は、通常、２°以上６°以下である。
【００３５】
［トウ側ソール幅ｄ１の測定位置］
本願では、トウ側ソール幅ｄ１が定義される。この幅ｄ１の、トウ−ヒール方向における測定位置は、フェース溝ｇｖのトウ側の端である（図３参照）。
【００３６】
［ヒール側ソール幅ｄ２の測定位置］
本願では、ヒール側ソール幅ｄ２が定義される。この幅ｄ２の、トウ−ヒール方向における測定位置は、フェース溝ｇｖのヒール側の端である（図３参照）。
【００３７】
［ソール幅ｄ１の測定方法］
図５は、図３のＦ５−Ｆ５線に沿った断面図である。この図５は、フェース溝ｇｖのトウ側の端における断面図である。この断面は、フェース面に対して垂直である。ソール幅ｄ１は、この断面の輪郭線ＰＬ１に基づいて決定される。この輪郭線ＰＬ１において、ソール７のフェース側の端点ｐ１が決定される。更に、この輪郭線ＰＬ１において、ソール７のバック側の端点ｂ１が決定される。上記端点ｐ１と上記端点ｂ１とのフェース−バック方向距離が、ソール幅ｄ１である。
【００３８】
上記端点ｐ１は、上記輪郭線ＰＬ１の最前方点である。
【００３９】
上記端点ｂ１は、次のように定義される。ソール７の中央側からバック側に向かって上記輪郭線ＰＬ１の曲率半径を見るとき、この曲率半径が初めて１０．０ｍｍ以下となった位置が、上記端点ｂ１とされる。
【００４０】
［ソール幅ｄ２の測定方法］
図６は、図３のＦ６−Ｆ６線に沿った断面図である。この断面は、フェース面に対して垂直である。ソール幅ｄ２は、この断面の輪郭線ＰＬ２に基づいて決定される。この輪郭線ＰＬ２において、ソール７のフェース側の端点ｐ２が決定される。更に、この輪郭線ＰＬ２において、ソール７のバック側の端点ｂ２が決定される。上記端点ｐ２と上記端点ｂ２とのフェース−バック方向距離が、ソール幅ｄ２である。
【００４１】
上記端点ｐ２は、上記輪郭線ＰＬ２の最前方点である。
【００４２】
上記端点ｂ２は、次のように定義される。ソール７の中央側からバック側に向かって上記輪郭線ＰＬ２の曲率半径を見るとき、この曲率半径が初めて１０．０ｍｍ以下となった位置が、上記端点ｂ２とされる。
【００４３】
本願では、セットを構成する複数のクラブのトウ側ソール幅ｄ１が、リアルロフト角Ｌ１の小さいクラブから順にｄ１（１）、ｄ１（２）、・・・、ｄ１（ｎ）とされ、これらのトウ側ソール幅ｄ１の最大値がｄ１ｍａｘとされ、且つ、これらのトウ側ソール幅ｄ１の最小値がｄ１ｍｉｎとされる。
【００４４】
例えば、前述した図１の実施形態では、ｄ１（１）は４番アイアンのトウ側ソール幅ｄ１であり、ｄ１（２）は５番アイアンのトウ側ソール幅ｄ１であり、ｄ１（３）は６番アイアンのトウ側ソール幅ｄ１であり、ｄ１（４）は７番アイアンのトウ側ソール幅ｄ１であり、ｄ１（５）は８番アイアンのトウ側ソール幅ｄ１であり、ｄ１（６）は９番アイアンのトウ側ソール幅ｄ１であり、ｄ１（７）はピッチングウエッジのトウ側ソール幅ｄ１であり、そして、ｄ１（８）はアプローチウエッジのトウ側ソール幅ｄ１である。
【００４５】
また本願では、セットを構成する複数のクラブのヒール側ソール幅ｄ２が、リアルロフト角Ｌ１の小さいクラブから順に、ｄ２（１）、ｄ２（２）、・・・、ｄ２（ｎ）とされ、これらのヒール側ソール幅ｄ２の最大値がｄ２ｍａｘとされ、且つ、これらのヒール側ソール幅ｄ２の最小値がｄ２ｍｉｎとされる。
【００４６】
例えば、前述した図１の実施形態では、ｄ２（１）は４番アイアンのヒール側ソール幅ｄ２であり、ｄ２（２）は５番アイアンのヒール側ソール幅ｄ２であり、ｄ２（３）は６番アイアンのヒール側ソール幅ｄ２であり、ｄ２（４）は７番アイアンのヒール側ソール幅ｄ２であり、ｄ２（５）は８番アイアンのヒール側ソール幅ｄ２であり、ｄ２（６）は９番アイアンのヒール側ソール幅ｄ２であり、ｄ２（７）はピッチングウエッジのヒール側ソール幅ｄ２であり、そして、ｄ２（８）はアプローチウエッジのヒール側ソール幅ｄ２である。
【００４７】
また本願では、セットを構成する複数のクラブのバンス角θ１が、リアルロフト角Ｌ１の小さいクラブから順にθ１（１）、θ１（２）、・・・、θ１（ｎ）とされ、これらのバンス角θ１の最大値がθ１ｍａｘとされ、且つ、これらのバンス角θ１の最小値がθ１ｍｉｎとされる。
【００４８】
例えば、前述した図１の実施形態では、θ１（１）は４番アイアンのバンス角θ１であり、θ１（２）は５番アイアンのバンス角θ１であり、θ１（３）は６番アイアンのバンス角θ１であり、θ１（４）は７番アイアンのバンス角θ１であり、θ１（５）は８番アイアンのバンス角θ１であり、θ１（６）は９番アイアンのバンス角θ１であり、θ１（７）はピッチングウエッジのバンス角θ１であり、そして、θ１（８）はアプローチウエッジのバンス角θ１である。
【００４９】
［バンス角θ１の測定位置］
本願において、バンス角θ１の、トウ−ヒール方向における測定位置は、トウ側ソール幅ｄ１の測定位置とヒール側ソール幅ｄ２の測定位置との間を２等分する位置ｄｖ１である（図３参照）。
【００５０】
［バンス角θ１の測定方法］
図４は、図３のＦ４−Ｆ４線に沿った断面図である。この断面は、フェース面に対して垂直である。バンス角θ１は、この断面の輪郭線ＰＬ３に基づいて決定される。この輪郭線ＰＬ３において、ソール７のフェース側の端点ｐ３が決定される。更に、この輪郭線ＰＬ３において、ソール７のバック側の端点ｂ３が決定される。上記端点ｐ３と上記端点ｂ３とのフェース−バック方向距離が、ソール幅ｄｃである。
【００５１】
上記端点ｐ３は、上記輪郭線ＰＬ３の最前方点である。
【００５２】
上記端点ｂ３は、次のように定義される。ソール７の中央側からバック側に向かって上記輪郭線ＰＬ３の曲率半径を見るとき、この曲率半径が初めて１０．０ｍｍ以下となった位置が、上記端点ｂ３とされる。
【００５３】
中央点Ｃｐは、上記端点ｐ３と上記端点ｂ３とをフェース−バック方向に２等分する位置にある（図４参照）。この中央点Ｃｐにおける輪郭線ＰＬ３の接線ＴＬ１と、水平面ｈとの成す角度が、バンス角θ１である。このバンス角θ１は、基準状態のヘッドにおいて測定される。この基準状態については、後述される。
【００５４】
好ましくは、上記バンス角θ１（°）は、θ１（１）≦θ１（２）≦・・・≦θ１（ｎ）を満たしている。
【００５５】
好ましくは、上記ｄ１ｍａｘ（ｍｍ）と上記ｄ１ｍｉｎ（ｍｍ）とが、略同一である。略同一とは、（ｄ１ｍａｘ−ｄ１ｍｉｎ）／ｄ１ｍａｘが０．０８以下であることを意味する。
【００５６】
好ましくは、上記ｄ２ｍａｘ（ｍｍ）と上記ｄ２ｍｉｎ（ｍｍ）とが、略同一である。略同一とは、（ｄ２ｍａｘ−ｄ２ｍｉｎ）／ｄ２ｍａｘが０．０８以下であることを意味する。
【００５７】
好ましくは、差（ｄ１ｍａｘ−ｄ１ｍｉｎ）が１．０ｍｍ以下とされる。より好ましくは、差（ｄ１ｍａｘ−ｄ１ｍｉｎ）は、０．８ｍｍ以下である。更に好ましくは、差（ｄ１ｍａｘ−ｄ１ｍｉｎ）は、０．５ｍｍ以下である。下限値は０ｍｍ以上がよく、寸法誤差の観点から、０．１ｍｍ以上であってもよい。
【００５８】
好ましくは、差（ｄ２ｍａｘ−ｄ２ｍｉｎ）が１．０ｍｍ以下とされる。より好ましくは、差（ｄ２ｍａｘ−ｄ２ｍｉｎ）は、０．８ｍｍ以下である。更に好ましくは、差（ｄ２ｍａｘ−ｄ２ｍｉｎ）は、０．５ｍｍ以下である。下限値は０ｍｍ以上がよく、寸法誤差の観点から、０．１ｍｍ以上であってもよい。
【００５９】
差（ｄ１ｍａｘ−ｄ１ｍｉｎ）及び差（ｄ２ｍａｘ−ｄ２ｍｉｎ）を抑制することで、新たな効果を生じうることが判明した。
【００６０】
従来のアイアンセットは、以下の仕様Ａ又は仕様Ｂを有する。  
［仕様Ａ］：番手が大きいほど、ソール幅が広い。換言すれば、番手が小さいほど、ソール幅が狭い。
［仕様Ｂ］：番手が小さいほど、ソール幅が広い。換言すれば、番手が大きいほど、ソール幅が狭い。
【００６１】
上記仕様Ａでは、ロングアイアンのソール幅は狭く、ショートアイアンのソール幅は広い。これに対して、上記仕様Ｂでは、ロングアイアンのソール幅は広く、ショートアイアンのソール幅は狭い。通常のアイアンセットは、上記仕様Ａである。
【００６２】
クラブセットでは、スイングバランスを統一するため、番手が大きいほど、ヘッド重量が大きい。よって、上記仕様Ｂでは、番手が小さいほど、ソール幅が広くなり且つヘッド重量が小さい。この場合、番手が小さいヘッドでは、ヘッド重量が小さく且つソールへの重量配分が大きい。よって、ソール以外の部分に配分される重量が少なく、重量配分の自由度が小さい。このため、番手が小さいヘッド（特にロングアイアン）では、ヘッドの設計自由度が小さい。たとえば、重心位置、ヘッド寸法、慣性モーメント等の設計が制約される。
【００６３】
本実施形態のクラブセットでは、差（ｄ１ｍａｘ−ｄ１ｍｉｎ）及び差（ｄ２ｍａｘ−ｄ２ｍｉｎ）が限定されているので、番手が小さいヘッドであっても、ヘッド設計への制約は少ない。
【００６４】
ショートアイアンでは、通常、ダウンブローにスイングされる傾向がある。よって、ショートアイアンでは、ソールが地面から受ける影響が大きい。ショートアイアンにおいてソール幅が広すぎる場合、接地抵抗が過大であり、操作性が失われやすい。ショートアイアンにおいてソール幅が広すぎる場合、抜けの良さが得られにくい。
【００６５】
本実施形態のクラブセットでは、差（ｄ１ｍａｘ−ｄ１ｍｉｎ）及び差（ｄ２ｍａｘ−ｄ２ｍｉｎ）が限定されているので、番手が大きいショートアイアンにおいても、ソール幅が過大とならない。よって、ショートアイアンにおいて、操作性が良好であり、抜けがよい。「抜けが良い」とは、地面からの抵抗が少なく、振り抜きやすいことを意味する。
【００６６】
ロングアイアンでは、通常、レベルブローにスイングされる傾向がある。よって、ロングアイアンでは、ソールを地表で滑らせて打球するのが好ましい。ロングアイアンにおいてソール幅が狭すぎる場合、ダフリやすい。
【００６７】
本実施形態のクラブセットでは、差（ｄ１ｍａｘ−ｄ１ｍｉｎ）及び差（ｄ２ｍａｘ−ｄ２ｍｉｎ）が限定されているので、番手が小さいロングアイアンにおいても、ソール幅が過少とならない。よって、ロングアイアンでのダフリが抑制される。
【００６８】
ロングアイアンは、クラブが長く且つロフトが少ないため、うまく打つのが難しい。ソール幅が狭いロングアイアンは、地面に刺さりそうなイメージを与える。ソール幅が狭いロングアイアンは、ダフリやすいイメージを与える。これらの悪いイメージは、ミスショットを誘発しやすい。本実施形態では、番手が小さいロングアイアンにおいても、ソール幅が過少とならない。よって、ミスショットが減少しうる。
【００６９】
そもそもロングアイアンは、ロフトが少ないため、適切な弾道の高さが得られにくい。これに加えて、ソール幅が狭いロングアイアンは、重心位置が高い。この高い重心位置は、低い弾道を招来する。本実施形態では、番手が小さいロングアイアンにおいても、ソール幅が過少とならない。よって、適切な弾道の高さが得られやすい。
【００７０】
アドレスにおいて、多くのゴルファーは、ソール面を地面（芝生）に置く。アドレスにおけるヘッドの安定性が、「すわり」とも称される。すわりが安定しているヘッドは、安定して構えやすい。番手間でのすわりの変動が少ない場合、アドレスにおけるフェースの向きが、番手間において、安定しやすい。
【００７１】
差（ｄ１ｍａｘ−ｄ１ｍｉｎ）及び差（ｄ２ｍａｘ−ｄ２ｍｉｎ）を限定することで、異なる番手間におけるすわりの差が減少することが判明した。このため、アドレスにおけるヘッドの向きが安定しやすい。本実施形態のヘッドでは、どの番手でも、フェースを目標に向けてアドレスしやすい。すわりの安定性に起因して、異なる番手間における打球方向のバラツキが少ないことが判明した。
【００７２】
また、バンス角の変化と、ソール幅の変化とが重なる場合、異なる番手間におけるすわりの差が拡大しうる。本実施形態のヘッドでは、バンス角が変化している場合であっても、番手間でのすわりのバラツキが抑制されうる。
【００７３】
アイアンセットでは、「性能の流れ」が重要である。この「性能の流れ」とは、異なる番手間における性能の連続性である。この性能として、飛距離、弾道及びバックスピン速度が例示される。アイアンセットにおいて、各番手のクラブの性能は、番手が変わるにつれて徐々に変化するのが好ましい。このようなアイアンセットでは、各番手に適した性能が得られやすい。性能の流れが良好なアイアンセットは、ゴルファーによる適切な番手の選択を容易とする。これに反して、ある番手において性能が突出したり、性能の変化の方向が逆転したりするのは、好ましくない。性能の流れが不良なアイアンセットは、ゴルファーによる適切な番手の選択を困難にする。
【００７４】
従来、性能の流れを良好とする観点から、番手が変化するにつれてソール幅を変化させるのがよいと考えられていた。しかし、ソール幅の変化と、他の仕様（ロフト角、ヘッド重量、クラブ長さ、バンス角、重心位置等）の変化とが相乗することで、隣接する番手間における性能の変化が過大となりやすい。ソール幅の変化を抑えることにより、隣接する番手間における性能の変化が過大となりにくい。ソール幅の変化を抑えることにより、性能の流れが良好なクラブセットが得られやすい。
【００７５】
性能の流れの観点から、好ましいクラブセットは、下記式（ｆ１）及び（ｆ２）を満たすか、又は、下記式（ｆ３）及び（ｆ４）を満たす。
ｄ１（１）≦ｄ１（２）≦・・・≦ｄ１（ｎ）  ・・・  （ｆ１）
ｄ２（１）≦ｄ２（２）≦・・・≦ｄ２（ｎ）  ・・・  （ｆ２）
ｄ１（１）≧ｄ１（２）≧・・・≧ｄ１（ｎ）  ・・・  （ｆ３）
ｄ２（１）≧ｄ２（２）≧・・・≧ｄ２（ｎ）  ・・・  （ｆ４）
【００７６】
番手の小さいクラブではダフリを抑制し、番手の大きいクラブでは操作性を高める観点から、好ましくは、上記バンス角θ１（°）は、下記式（ｆ５）を満たすのがよく、下記式（ｆ６）を満たすのがより好ましく、下記式（ｆ７）を満たすのがより好ましい。
θ１（１）≦θ１（２）≦・・・≦θ１（ｎ）  ・・・  （ｆ５）
θ１（１）＜θ１（ｎ）                      ・・・  （ｆ６）
θ１（１）＜θ１（２）＜・・・＜θ１（ｎ）  ・・・  （ｆ７）
【００７７】
トウ側ソール幅ｄ１は限定されない。ロングアイアンでのダフリを抑制する観点から、トウ側ソール幅ｄ１は、１８ｍｍ以上が好ましく、２０ｍｍ以上がより好ましく、２３ｍｍ以上が更に好ましい。ショートアイアンでの操作性の観点から、トウ側ソール幅ｄ１は、３０ｍｍ以下が好ましく、２８ｍｍ以下がより好ましく、２５ｍｍ以下が更に好ましい。
【００７８】
ヒール側ソール幅ｄ２は限定されない。ロングアイアンでのダフリを抑制する観点から、ヒール側ソール幅ｄ２は、１２ｍｍ以上が好ましく、１４ｍｍ以上がより好ましく、１７ｍｍ以上が更に好ましい。ショートアイアンでの操作性の観点から、ヒール側ソール幅ｄ２は、２４ｍｍ以下が好ましく、２２ｍｍ以下がより好ましく、１９ｍｍ以下が更に好ましい。
【００７９】
比（ｄ１／ｄ２）は限定されない。ヒール部分への過大な重量配分を抑制し、極端に短い重心距離を避ける観点から、比（ｄ１／ｄ２）は、０．７５以上が好ましく、１．０以上がより好ましく、１．２以上が更に好ましい。トウ部分への過大な重量配分を抑制し、極端に長い重心距離を避ける観点から、比（ｄ１／ｄ２）は、２．５以下が好ましく、２．０以下がより好ましく、１．５以下が更に好ましい。これらの好ましい比（ｄ１／ｄ２）は、全ての番手において満たされているのが好ましい。重心距離とは、シャフト軸線とヘッド重心との距離である。
【００８０】
ロングアイアンにおいてソール幅が大きすぎる場合、アドレス時において、ソール部のバック側が視認されうる。この場合、アドレス時におけるフェース面への集中が減退したり、違和感が生じたりすることがある。この観点から、全ての番手のヘッドが次の（ａ）を満たすのが好ましい。
（ａ）フェース面の存在するトウ−ヒール方向範囲において、最もバック側に位置するのは、ヘッドのトップ面である。
【００８１】
この（ａ）を満たす場合、アドレス時において、ソール部のバック側が見えない。よって、フェース面への集中が容易であり、違和感が少ない。なお、基準状態、トウ−ヒール方向及びフェース−バック方向の定義は以下の通りである。上記「バック側」とは、このフェース−バック方向に従って判断される。
【００８２】
［基準状態］
基準状態とは、所定のライ角及びリアルロフト角でヘッドが水平面ｈ上に載置された状態である。より詳細には、基準状態とは、ヘッドのシャフト孔の中心軸線ｚを任意の垂直面ＶＰ１内に配し、且つ中心軸線ｚを水平面ｈに対してそのライ角で傾けるとともに、フェース面を垂直面ＶＰ１に対してそのリアルロフト角で傾けて、水平面ｈに接地させた状態である（図４参照）。垂直面ＶＰ１は、鉛直線に対して平行な平面である。
【００８３】
［トウ−ヒール方向］
上記基準状態のヘッドにおいて、上記ＶＰ１と上記水平面ｈとの交線に平行な方向が、トウ−ヒール方向である。
【００８４】
［フェース−バック方向］
上記トウ−ヒール方向に対して垂直であり且つ上記水平面ｈに平行な方向が、フェース−バック方向である。
【実施例】
【００８５】
以下、実施例によって本発明の効果が明らかにされるが、この実施例の記載に基づいて本発明が限定的に解釈されるべきではない。
【００８６】
以下では、クラブ本数が３本であるセットを用いて、テストを行った。
【００８７】
［実施例１］
ステンレス鋼を鋳造し、研磨前ヘッドを得た。フェース溝は、切削加工により形成した。研磨によって、ソール幅及びバンス角を調整し、実施例１のヘッドを得た。４番アイアン、７番アイアン及びピッチングウエッジのヘッドが作製された。なお、全ての番手において、トウ位置（ソール幅ｄ１の測定位置）からヒール位置（ソール幅ｄ２の測定位置）までのソール幅は、ヒール側にいくほど徐々に狭くされた。
【００８８】
各番手に適合したシャフトが上記ヘッドに接着された。シャフトとして、日本シャフト社製の商品名「ＮＳ  ＰＲＯ  ９５０Ｓ」が用いられた。グリップを装着して、実施例１に係るゴルフクラブを得た。４番アイアンの長さは３８．５インチとされ、７番アイアンの長さは３７．０インチとされ、ピッチングウエッジの長さは３５．５インチとされた。
【００８９】
［実施例２、３］
実施例１で得られた研磨前ヘッドを用いた。研磨によってソール幅及びバンス角を調整した。実施例１と同様にして、実施例２、３に係るヘッドを得た。なお、いずれの実施例についても、全ての番手において、トウ位置（ソール幅ｄ１の測定位置）からヒール位置（ソール幅ｄ２の測定位置）までのソール幅は、ヒール側にいくほど徐々に狭くされた。
【００９０】
実施例１と同じシャフト及びグリップを装着して、実施例２，３に係るゴルフクラブを得た。
【００９１】
［比較例１、２］
実施例１で得られた研磨前ヘッドを用いた。研磨によってソール幅及びバンス角を調整した。実施例１と同様にして、比較例１、２に係るヘッドを得た。なお、いずれの比較例についても、全ての番手において、トウ位置（ソール幅ｄ１の測定位置）からヒール位置（ソール幅ｄ２の測定位置）までのソール幅は、ヒール側にいくほど徐々に狭くされた。
【００９２】
実施例１と同じシャフト及びグリップを装着して、比較例１，２に係るゴルフクラブを得た。
【００９３】
評価方法は、次の通りである。
【００９４】
［抜けの良さ］
ハンディキャップが０以上１０以下である１０名のゴルファーが、セミラフにボールを置き、実際に打球して、抜けの良さを評価した。ボールとして、ＳＲＩスポーツ社製の商品名「スリクソン  Ｚ−ＳＴＡＲ」が用いられた。この評価は官能評価である。各ゴルファーが５点満点で５段階評価を行った。５点が最高の評価であり、１点が最低の評価であり、点数が少ないほど評価が低い。１０名のゴルファーの評価点の平均が、下記の表１に示される。
【００９５】
［構えやすさ］
上記１０名のゴルファーが、抜けの良さの評価と同時に、構えやすさの評価を行った。この評価は官能評価である。各ゴルファーが５点満点で５段階評価を行った。５点が最高の評価であり、１点が最低の評価であり、点数が少ないほど評価が低い。１０名のゴルファーの評価点の平均が、下記の表１に示される。
【００９６】
［打球方向のズレ］
上記１０名のゴルファーが、フェアウェイにボールを置き、目標を狙って、打球した。各ゴルファーが、各番手で、５球ずつ打球した。ボールとして、ＳＲＩスポーツ社製の商品名「スリクソン  Ｚ−ＳＴＡＲ」が用いられた。目標方向からのズレ距離（ヤード）を測定した。このズレ距離は、打球地点と目標地点とを結ぶ直線と、打球の最終到達点との距離である。このズレ距離は、右側のズレた場合も、左側にずれた場合も、プラスの値とされた。１０名の測定値の平均が、下記の表１に示される。なお、上記１０名のゴルファーは、いずれも、ソール面を接地させてアドレスするタイプである。
【００９７】
［セットでの打球方向性］
３つの番手を総合した打球方向のズレの最大幅が、打球方向性とされた。この打球方向性が、◎、○、△及び×の４段階で評価された。これらの意味は下記の通りである。
◎：セット全体としての打球方向のバラツキが５ヤード以下である。
○：セット全体としての打球方向のバラツキが５ヤードより大きく１０ヤード以下である。
△：セット全体としての打球方向のバラツキが１０ヤードより大きく１５ヤード以下である。
×：セット全体としての打球方向のバラツキが１５ヤードより大きい。
【００９８】
セット全体としての打球方向のバラツキは、上記［打球方向のズレ］のテストデータを用いて算出された。ただし、上記ズレ距離は、右側のズレた場合がプラスとされ、左側にズレた場合はマイナスとされた。各番手毎に、１０名のズレ距離の平均値が算出された。３つの番手のズレ距離のうちの最大値がＤ１とされ、３つの番手のズレ距離のうちの最小値がＤ２とされるとき、差（Ｄ１−Ｄ２）が、「セット全体としての打球方向のバラツキ」とされた。
【００９９】
【表１】
0005936301.tif 000002
【０１００】
実施例では、番手間でのすわりの変動が少ないため、打球方向のバラツキが小さかった。また、実施例では、番手間でのすわりの差が少ないため、全ての番手において、構えやすさの評価が高い。
【０１０１】
表１に示されるように、実施例は、比較例に比べて評価が高い。この結果から、本発明の優位性は明らかである。
【産業上の利用可能性】
【０１０２】
本発明は、あらゆるアイアンゴルフクラブセットに適用されうる。
【符号の説明】
【０１０３】
２・・・ゴルフクラブセット
４・・・ゴルフクラブ
５・・・フェース
６・・・ホーゼル
７・・・ソール
１２・・・凹部（キャビティ）
ｓｆ・・・シャフト
ｈｄ・・・ヘッド
ｇｐ・・・グリップ
Ｌ１・・・リアルロフト角
ｇｖ・・・フェース溝
ｈｄ１〜ｈｄ８・・・ヘッド（番号が小さいほど、リアルロフト角が小さい。）
ｃ１〜ｃ８・・・ゴルフクラブ（番号が小さいほど、リアルロフト角が小さい。）
ＬＡ・・・ランドエリア
【図１】
0005936301.tif 000003
【図２】
0005936301.tif 000004
【図３】
0005936301.tif 000005
【図４】
0005936301.tif 000006
【図５】
0005936301.tif 000007
【図６】
0005936301.tif 000008